(57)【要約】【課題】メタルシェルの側板内にばね性を有する基板実装片を設けた新規な構成のカード用コネクタを提供する。【解決手段】カード用コネクタ１は、複数の端子が並列して装着された絶縁ハウジング２と、絶縁ハウジング２と協働してカード受入空洞１１を画成しているメタルシェル４とを備えている。メタルシェル４は、頂板４１と、頂板４１の側縁に連続し、略直角に垂下する側板４２、４３とを備えている。一方の側板４３内には、側板４３に沿って延びる垂下片部分４６１と、垂下片部分４６１の下端から外向きに延びる外向き翼部分４６２とで構成される基板実装片４６が一体に設けられ、垂下片部分４６１の周りに、縦方向スリット４７、４８と横方向スリット４９で構成される剛性低下手段が設けられて、垂下片部分４６１に外向き翼部分４６２の延びる方向のばね性が与えられている。【選択図】  図１
2004273338.tif 000002
【特許請求の範囲】
【請求項１】
複数の端子（６）が並列して装着された絶縁ハウジング（２）と、
絶縁ハウジング（２）に組み付けられて、絶縁ハウジング（２）と協働してカード受入空洞（１１）を画成しているメタルシェル（４）とを備え、
前記メタルシェル（４）が、頂板（４１）と、頂板（４１）の側縁に連続し、略直角に垂下する側板（４２、４３）とを備えており、
前記側板（４３）内には、側板（４３）に沿って延びる垂下片部分（４６１）と、垂下片部分（４６１）の下端から外向きに延びる外向き翼部分（４６２）とで構成される基板実装片（４６）が一体に設けられ、
前記垂下片部分（４６１）の周りに剛性低下手段が設けられて、垂下片部分（４６１）に外向き翼部分（４６２）の延びる方向のばね性が与えられていることを特徴とするカード用コネクタ。
【請求項２】
前記剛性低下手段は、垂下片部分（４６１）の両側縁に沿って設けられた縦方向スリット（４７、４８）と、垂下片部分（４６１）とメタルシェル（４）の頂板（４１）が連続する折曲部に沿って設けられた横方向スリット（４９）とした請求項１に記載のカード用コネクタ。
【請求項３】
前記剛性低下手段は、垂下片部分（４６１）の両側縁に沿って、垂下片部分（４６１）とメタルシェル（４）の頂板（４１）が連続する折曲部まで設けられた縦方向スリット（５２）とした請求項１に記載のカード用コネクタ。
【請求項４】
前記剛性低下手段は、垂下片部分（４６１）の両側縁に沿って、垂下片部分（４６１）とメタルシェル（４）の頂板（４１）が連続する折曲部まで設けられた縦方向スリット（５２）と、垂下片部分（４６１）とメタルシェル（４）の頂板（４１）が連続する折曲部に沿って設けられた横方向スリット（５３）とした請求項１に記載のカード用コネクタ。
【請求項５】
前記剛性低下手段は、垂下片部分（４６１）の側縁と、垂下片部分（４６１）とメタルシェル（４）の頂板（４１）が連続する折曲部に沿って設けられた、一対の逆Ｌ字形スリット（５４）とした請求項１に記載のカード用コネクタ。
【請求項６】
前記剛性低下手段は、垂下片部分（４６１）の一側縁に沿って設けられた縦方向スリット（５５）と、垂下片部分（４６１）の一側縁から上部に連続する逆Ｌ字形スリット（５６）とした請求項１に記載のカード用コネクタ。
【請求項７】
前記剛性低下手段は、垂下片部分（４６１）の一側縁から上部に連続する一対の逆Ｌ字形スリット（５７）とした請求項１に記載のカード用コネクタ。
【請求項８】
前記基板実装片（４６）は、カード受入空洞（１１）のカード挿入口（１２）の近くに設けられている請求項１〜７の何れかに記載のカード用コネクタ。
【請求項９】
前記メタルシェル（４）は、一対の側板（４２、４３）を備え、前記基板実装片（４６）は、一対の側板（４２、４３）の少なくとも一方の側板（４３）に設けられている請求項１〜８の何れかに記載のカード用コネクタ。
【請求項１０】
前記基板実装片（４６）は、垂下片部分（４６１）の内面に、外側に向かって凹入する半田溜り（４６３）が形成されている請求項１〜９の何れかに記載のカード用コネクタ。
【請求項１１】
複数の端子（６）が並列して装着された絶縁ハウジング（２）と、
絶縁ハウジング（２）に組み付けられて、絶縁ハウジング（２）と協働してカード受入空洞（１１）を画成しているメタルシェル（４）とを備え、
前記メタルシェル（４）が、頂板（４１）と、頂板（４１）の側縁に連続し、略直角に垂下する側板（４２、４３）とを備えており、
前記側板（４２、４３）内には、側板（４２、４３）に沿って延びる垂下片部分（４６１）と、垂下片部分（４６１）の下端から外向きに延びる外向き翼部分（４６２）とで構成される基板実装片（４６）が一体に設けられ、
前記垂下片部分（４６１）の周りに剛性低下手段が設けられて、垂下片部分（４６１）に外向き翼部分（４６２）の延びる方向のばね性が与えられていると共に、
前記基板実装片（４６）を構成した垂下片部分（４６１）の内面に、外側に向かって凹入する半田溜り（４６３）が形成されていることを特徴とするカード用コネクタ。
【請求項１２】
前記半田溜り（４６３）は、外向き翼部分（４６２）の近くに、外向き翼部分（４６２）と略平行に形成された略楕円形の凹入部で構成されている請求項１１に記載のカード用コネクタ。
【請求項１３】
複数の端子（６）が並列して装着された絶縁ハウジング（２）と、
絶縁ハウジング（２）に組み付けられて、絶縁ハウジング（２）と協働してカード受入空洞（１１）を画成しているメタルシェル（４）とを備え、
前記メタルシェル（４）は、頂板（４１）と、頂板（４１）の側縁から略直角に垂下する側板（４２、４３）とを備えており、
前記側板（４２、４３）内には、取付基板（１０）に半田付け可能とした基板実装片（４６）が一体に設けられ、
この基板実装片（４６）に、前記絶縁ハウジング（２）の伸縮に伴うメタルシェル（４）の寸法変化に追従可能なばね性が、剛性低下手段を介して与えられていることを特徴とするカード用コネクタ。
【請求項１４】
前記基板実装片（４６）は、メタルシェル（４）の側板（４２、４３）に沿って延びる垂下片部分（４６１）と、垂下片部分（４６１）の下端から外向きに略直角に延びる外向き翼部分（４６２）とで構成され、前記剛性低下手段が垂下片部分（４６１）の周りに設けられている請求項１３に記載のカード用コネクタ。
【請求項１５】
前記剛性低下手段は、垂下片部分（４６１）の両側縁に沿って設けられた縦方向スリット（４７、４８）と、垂下片部分（４６１）とメタルシェル（４）の頂板（４１）が連続する折曲部に沿って設けられた横方向スリット（４９）とした請求項１４に記載のカード用コネクタ。
【請求項１６】
前記剛性低下手段は、垂下片部分（４６１）の両側縁に沿って、垂下片部分（４６１）とメタルシェル（４）の頂板（４１）が連続する折曲部まで設けられた縦方向スリット（５２）とした請求項１４に記載のカード用コネクタ。
【請求項１７】
前記剛性低下手段は、垂下片部分（４６１）の両側縁に沿って、垂下片部分（４６１）とメタルシェル（４）の頂板（４１）が連続する折曲部まで設けられた縦方向スリット（５２）と、垂下片部分（４６１）とメタルシェル（４）の頂板（４１）が連続する折曲部に沿って設けられた横方向スリット（５３）とした請求項１４に記載のカード用コネクタ。
【請求項１８】
前記剛性低下手段は、垂下片部分（４６１）の側縁と、垂下片部分（４６１）とメタルシェル（４）の頂板（４１）が連続する折曲部に沿って設けられた、一対の逆Ｌ字形スリット（５４）とした請求項１４に記載のカード用コネクタ。
【請求項１９】
前記剛性低下手段は、垂下片部分（４６１）の一側縁に沿って設けられた縦方向スリット（５５）と、垂下片部分（４６１）の一側縁から上部に連続する逆Ｌ字形スリット（５６）とした請求項１４に記載のカード用コネクタ。
【請求項２０】
前記剛性低下手段は、垂下片部分（４６１）の一側縁から上部に連続する一対の逆Ｌ字形スリット（５７）とした請求項１４に記載のカード用コネクタ。
【請求項２１】
前記基板実装片（４６）は、垂下片部分（４６１）の内面に、外側に向かって凹入する半田溜り（４６３）が形成されている請求項１４に記載のカード用コネクタ。
【発明の詳細な説明】
【０００１】
【発明の属する技術分野】
この発明は、携帯電話機、デジタルスチルカメラ等々の小型電子機器で使用されるメモリーカードのためのカード用コネクタに関する。カード用コネクタが上記小型電子機器に搭載され、メモリーカードが挿入・抜去可能にされる。
【０００２】
【従来の技術】
従来、この種のカード用コネクタは、メモリーカードの接点と係合する複数の端子が絶縁ハウジングに並列して装着され、この絶縁ハウジングを覆うようにメタルシェルを組み付けた構成とされている（特許文献１、２参照）。メタルシェルは、略箱型に成形されて、カード受入空洞を画成し、カード受入空洞の一端を開口してカード挿入口を形成する。絶縁ハウジングは、端子が装着される本体部から、メタルシェルの側板内側に沿って延びる側壁部を有している。この絶縁ハウジングの側壁部は一対とされて、夫々がメタルシェルの側板内側に沿ってカード挿入口まで延びるように設けられるのが一般的であった。一対の側壁部には、カード挿入口に近い端部に、金属板を断面Ｌ字形に成形した補強金具が取り付けられ、この補強金具がプリント基板などの取付基板に半田付けされるようにしている。
【０００３】
電子機器の小型化に即応して、このカード用コネクタの小型化も進んでいる。この小型化されたカード用コネクタでは、前記絶縁ハウジングの一対の側壁部が一つとされたり、側壁部を備えないものとされ、メタルシェルの側板がカード受入空洞を直接画成する。メタルシェルの側板がカード受入空洞を直接画成した場合、前記補強金具を取り付けるべき絶縁ハウジングの側壁部が存在しないために、メタルシェルの側板に、補強金具形状とした基板実装片を一体に設けて、この基板実装片を取付基板へ半田付けするようにしている。
【０００４】
図１２、１３は、メタルシェルの側板に設けた基板実装片の一例を示している。図において、９がメタルシェル、９１が側板、９２が基板実装片であり、１０はプリント基板である。側板９１の高さ方向中間部まで切り込み又はスリット９３が形成され、スリット９３で挟まれた部分の垂下片部分９４と、垂下片部分９４から略直角に延びる外向き翼部分９５とで補強金具様の基板実装片９２としている。プリント基板１０に実装する際には、外向き翼部分９５をプリント基板１０の表面に対向させて、この対向部が半田付けされ、半田フィレット９６が図のように形成される。
【０００５】
【特許文献１】
特開２００１−２９１５５２号公報  （図１、２）
【特許文献２】
特開２００２−２３７３５１号公報  （図２）
【０００６】
【発明が解決しようとする課題】
前記のように、補強金具様の基板実装片をメタルシェルの側板内に一体として設けた場合、メタルシェルを構成する金属板の板厚（通常ｔ＝０．２ｍｍ以上）との関係で、基板実装片にばね性を期待することはできなかった。このため、半田リフローがされる半田付け工程の際の温度変化によってプリント基板よりも熱収縮率の大きい絶縁ハウジングが伸縮することによって（プリント基板と絶縁ハウジングの熱収縮率の違いに起因する）、さらにこれを覆っているメタルシェルも変形することになるが、メタルシェル側板内に一体として設けられた基板実装片が追従できず、プリント基板と基板実装片の半田付け部分に応力が加わり、また、残留応力が蓄積することとなっていた。この結果、経年的に半田が劣化すると、半田付け部分の半田フィレットにクラック又は極小さなマイクロクラックの発生に至ることとなり、電気的接続の信頼性が損なわれ、また、機械的な剥離強度が低下するという問題があった。
【０００７】
加えて、補強金具様の基板実装片をプリント基板に半田付けした時に、余分の半田が図１３に示されているように、垂下片部分９４の内面に沿って流れて固化して、カード受入空洞を狭め、メモリーカードの挿入に支障をきたすという問題もあった。
【０００８】
この発明は、上記のような問題点に鑑みてなされたもので、メタルシェルの側板内にばね性を有する基板実装片を設けた新規な構成のカード用コネクタを提供することを主要な目的としている。加えて、余分な半田の流動固化があってもメモリーカードの挿入に支障をきたすことのない基板実装片がメタルシェルの側板内に一体として設けられたカード用コネクタを提供することを別の目的としている。
【０００９】
【課題を解決するための手段】
上記のような目的のもとになされたこの発明のカード用コネクタは、複数の端子が並列して装着された絶縁ハウジングと、
絶縁ハウジングに組み付けられて、絶縁ハウジングと協働してカード受入空洞を画成しているメタルシェルとを備え、
前記メタルシェルが、頂板と、頂板の側縁に連続し、略直角に垂下する側板とを備えており、
前記側板内には、側板に沿って延びる垂下片部分と、垂下片部分の下端から外向きに延びる外向き翼部分とで構成される基板実装片が一体に設けられ、
前記垂下片部分の周りに剛性低下手段が設けられて、垂下片部分に外向き翼部分の延びる方向のばね性が与えられていることを特徴としている。
【００１０】
【作用】
このように構成されるこの発明のカード用コネクタによれば、メタルシェルの側板内に設けた基板実装片の垂下片部分にばね性が与えられているので、基板実装片が絶縁ハウジングの伸縮に伴うメタルシェルの変形に追従できるようになる。この結果、基板実装片の外向き翼部分と取付基板の半田付け部分に応力集中や残留応力の蓄積がなくなり、半田フィレットを保護することができる。
【００１１】
基板実装片にばね性を与える剛性低下手段としては、以下の実施形態で説明するように、垂下片部分の両側縁に沿って設けられた縦方向スリットと、垂下片部分とメタルシェルの頂板が連続する折曲部に沿って設けられた横方向スリットとしたり（図１、５）、垂下片部分の両側縁に沿って、垂下片部分とメタルシェルの頂板が連続する折曲部まで設けられた縦方向スリットとしたり（図７）、垂下片部分の両側縁に沿って、垂下片部分とメタルシェルの頂板が連続する折曲部まで設けられた縦方向スリットと、垂下片部分とメタルシェルの頂板が連続する折曲部に沿って設けられた横方向スリットとしたり（図８）、垂下片部分の側縁と、垂下片部分とメタルシェルの頂板が連続する折曲部に沿って設けられた、一対の逆Ｌ字形スリットとしたり（図９）、垂下片部分の一側縁に沿って設けられた縦方向スリットと、垂下片部分の一側縁から上部に連続する逆Ｌ字形スリットとしたり（図１０）、更には、垂下片部分の一側縁から上部に連続する一対の逆Ｌ字形スリットとする（図１１）ことができる。
【００１２】
また、基板実装片を構成した垂下片部分の内面には、外側に向かって凹入する半田溜りを形成することもできる。このようにして半田溜りを形成すると、外向き翼部分の半田付けに際して、垂下片部分の内面を流動する余分の半田を半田溜りに収容することができ、余分な半田の流動固化でカード受け入れ空洞を狭めるような不具合を避けることができる。
【００１３】
【発明の実施の形態】
以下、この発明のいくつかの実施形態を添付の図を参照して説明する。
【００１４】
図１に第１の実施形態のカード用コネクタ１が示されている。カード用コネクタ１は、絶縁性のプラスチックを、図２、３に示したように、平面略Ｌ字形に成形した絶縁ハウジング２と、金属板を打抜いて成形したメタルシェル４とを備えている。平面略Ｌ字形の絶縁ハウジング２は、本体部２１の一端から略直角に側壁部２２が連続しており、本体部２１に複数の端子６が並列して装着されている。各端子６は片持ち梁状のコンタクト片６１を有しており、側壁部２２と略平行に延びている。
【００１５】
メタルシェル４は、絶縁ハウジング２の上側を覆う略方形の頂板４１と、頂板４１の一側縁（図１において左側縁）から略直角に垂下する第１側板４２および他側縁から略直角に垂下する断面Ｌ字形の第２側板４３を有している。頂板４１が絶縁ハウジング２の上側を覆い、第１側板４２が絶縁ハウジング２の側壁２２の外側に沿うようにして、メタルシェル４が絶縁ハウジング２に組み付けられて、両者が協働してカード受入空洞１１を画成している。メタルシェル４の頂板４１の二つの隅部には、係止片４４、４５が下方に打ち抜かれており、一方の係止片４４が絶縁ハウジング２の本体部２１の端部に嵌入して係止し、他方の係止片４５が側壁部２２の端部に嵌入して係止して、組み付け状態が保持されている。
【００１６】
絶縁ハウジング２とメタルシェル４で協働して画成したカード受入空洞１１は、前端がカード挿入口１２となって開口して、ここからメモリーカード８（図３参照）を挿入・抜去できるようになっている。カード受入空洞１１の後端は、絶縁ハウジング２の本体部２１で塞がれており、本体部２１から延びた端子６のコンタクト片６１がカード受入空洞１１に臨んで、メモリーカード８の接点と係合できるようになっている。
【００１７】
カード受入空洞１１の一側は、絶縁ハウジング２の側壁部２２で画成され、他側はメタルシェル４の第２側板４３で画成されている。カード挿入口１２から挿入・抜去されるメモリーカード８は、側壁部２２と第２側板４３で案内されるようになっている。メモリーカード８の挿入・抜去を案内する側壁部２２には、図２に示すような、カムスライダー３１と、カムピン３２と、コイルスプリング３３とで構成されるプッシュ／プッシュ形式のカードイジェクト機構３が設けられている。
【００１８】
図１に示すように、このカード用コネクタ１は、プリント基板１０などの取付基板の上に載置して半田付けができるようにされている。即ち、前記端子６は、絶縁ハウジング２の本体部２１から後方に半田テイル６２が延びて、プリント基板１０の表面に設けられたパッド１０１（図２）に表面半田付けができるようにされている。また、カード受入空洞１１のカード挿入口１２の近くで、絶縁ハウジング２の側壁部２２に設けた補強金具７と、メタルシェル４の第２側板４３に設けた基板実装片４６を、夫々、プリント基板１０の表面に設けられたパッド１０２（図１）に表面半田付けができるようにされている。
【００１９】
絶縁ハウジング２の側壁部２２に設けられた補強金具７は、先に従来の技術として述べたものと同様のもので、金属板が断面Ｌ字形に成形されている。メタルシェル４が組み付けられる前に、側壁部２２に形成した装着溝２２１に予め装着されている。
【００２０】
メタルシェル４の第２側板４３に設けた基板実装片４６は、図５、６に示してあるように、垂下片部分４６１と、垂下片部分４６１の下端から外向きに延びる外向き翼部分４６２とで断面Ｌ字形とされて、第２側板４３内に設けられている。垂下片部分４６１の両側縁に沿って縦方向スリット４７、４８が設けられ、垂下片部分４６１と頂板４１が連続する折曲部に沿って横方向スリット４９が設けられて、垂下片部分４６１は第２側板と連続片部分５０、５１のみで連続し、垂下片部分４６１が第２側板４３から独立して内外に変位できるようにされている。
【００２１】
また、基板実装片４６を構成している垂下片部分４６１の内面には、外側に向かって凹入する半田溜り４６３が形成されている。この半田溜り４６３は、外向き翼部分４６２の近くに、外向き翼部分４６２と略平行に形成された、略楕円形の凹入部で構成されているものである。
【００２２】
上記のように構成されているカード用コネクタ１は、図１に示されているように、プリント基板１０の表面に、端子６の半田テイル６２と補強金具７を対応するパッド１０１、１０２に半田付けすると共に、基板実装片４６の外向き翼部分４６２をパッド１０２に半田付けすることによって設置することができる。図５、６には、外向き翼部分４６２とパッド１０２の半田付けで形成される半田フィレット１０３が示されている。
【００２３】
半田付け工程の際の半田リフロー加熱による温度変化によって、プリント基板１０よりも熱収縮率の大きい絶縁ハウジング２が伸縮するが、さらにこれを覆っているメタルシェル４も変形することになるが、基板実装片４６は、このような絶縁ハウジング２の伸縮に伴うメタルシェル４の変形に追従することが可能である。基板実装片４６を構成した垂下片部分４６１の周り設けた縦方向スリット４７、４８と横方向スリット４９が垂下片部分４６１に対して剛性低下手段を構成して、垂下片部分４６１にばね性を与えているためである。なお、前記絶縁ハウジング２の伸縮が生じる要因としては、プリント基板１０と絶縁ハウジング２の熱収縮率の違いによるところが大きい。
【００２４】
このように、基板実装片４６にばね性が与えられて、絶縁ハウジング２の伸縮に伴うメタルシェル４の変形に追従できるようにしたために、外向き翼部分４６２とプリント基板１０のパッド１０２の半田付け部分に、絶縁ハウジング２の伸縮で応力が集中したり、応力が残留して蓄積することを避けることができる。したがって、半田フィレット１０３にこのような応力を原因とするクラック又はマイクロクラックが発生するのを防止することができる。そして、半田フィレット１０３にクラックやマイクロクラックが発生しないので、メタルシェル４とプリント基板１０間及び端子６とプリント基板１０間の電気的接続の信頼性を向上することができる。また、半田付け部分の剥離強度の低下も防ぎ、カード用コネクタ１とプリント基板１０間の機械的強度の信頼性も向上することができる。
【００２５】
基板実装片４６の外向き翼部分４６２とパッド１０２の半田付けにおいて、余分な半田は、図６に特に示すように、垂下片部分４６１に設けた半田溜り４６３に収容される。この結果、余分の半田の流動固化でカード受入空洞１１を狭めるような事態をなくし、メモリーカード８の挿入・抜去に支障をきたすのを避け、常に問題なく挿入・抜去が可能の状態でカード用コネクタ１を設置することができる。
【００２６】
また、この第１の実施形態のように、剛性低下手段を構成した横方向スリット４９を、垂下片部分４６１と頂板４１が連続する折曲部に沿って設けると、メタルシェル４の曲げ加工による成形が安定的にできるようになり、メタルシェル４の寸法精度（高さ方向）を向上し、また、ねじれ応力の残留を避ける点で有利に作用する。
【００２７】
図７〜図１１には、他の実施形態の基板実装片４６の部分を示している。図７の第２の実施形態では、基板実装片４６の垂下片部分４６１の両側縁に沿って、縦方向スリット５２、５２が設けられて剛性低下手段を構成している。縦方向スリット５２、５２は、垂下片部分４６１と頂板４１が連続する折曲部まで延び、垂下片部分４６１の全長に亘っている。
【００２８】
図８の第３の実施形態では、垂下片部分４６１の両側縁に沿って、第２の実施形態と同様の縦方向スリット５２、５２が設けられると共に、垂下片部分４６１と頂板４１が連続する折曲部に沿って横方向スリット５３が設けられて剛性低下手段を構成している。
【００２９】
図９の第４の実施形態では、垂下片部分４６１の側縁と、垂下片部分４６１と頂板４１が連続する折曲部に沿って、一対の逆Ｌ字形スリット５４、５４が設けられて剛性低下手段を構成している。
【００３０】
また、図１０の第５の実施形態では、垂下片部分４６１の一側縁に沿って設けられた縦方向スリット５５と、垂下片部分４６１の一側縁から上部に連続する逆Ｌ字形スリット５６が、垂下片部分４６１の周りに設けられて剛性低下手段を構成している。
【００３１】
更に、図１１の第６の実施形態では、垂下片部分４６１の一側縁から上部に連続する一対の逆Ｌ字形スリット５７、５７が垂下片部分４６１の周りに設けられて剛性低下手段を構成している。
【００３２】
これらの第２〜第６の実施形態の基板実装片４６も、その周りに設けた剛性低下手段を介してばね性を与えることができる。したがって、プリント基板１０の伸縮に追従することを可能とし、前記と同様の作用効果を発揮する。
【００３３】
これまでに説明した実施形態では、メタルシェル４を構成した第１側板４２と第２側板４３のうち、一方の第２側板４３のみに基板実装片４６を設けているが、第１側板４２にも同様の基板実装片４６を設けることができる。絶縁ハウジング２の側壁部２２に設けた補強金具７を不要にすることができる。また、絶縁ハウジング２に側壁部２２が設けられない場合に有効である。
【００３４】
尚、絶縁ハウジング２の側壁部２２に設けたカードイジェクト機構３は、すでに公知の機構である。概略的に説明すると、カムスライダー３１は、図２に表れている係合突部３１１が、カード受入空洞１１に挿入されたメモリーカード８の側縁と係合して、メモリーカード８と一体となってスライドする。コイルスプリング３３は、カムスライダー３１をカード挿入口１２の方向に常時付勢している。そして、カムピン３２は、一端が側壁部２２にピボット係合しており、他端がカムスライダー３１に形成されているハートカム溝３１２に係合している。
【００３５】
カード受入空洞１１に挿入するメモリーカード８は、その後端縁が図３の鎖線８１の位置に来るまで挿入可能となっている。メモリーカード８を、この最も奥まで挿入した後、挿入力を開放すると、メモリーカード８は、カードイジェクト機構３によって抜去方向に戻されて、後端縁が鎖線８２の位置まで移動して停止する。この状態で、端子６のコンタクト片６１はメモリーカード８の接点と係合して電気的接続状態が維持される。
【００３６】
メモリーカード８を抜去する時は、後端縁を再び鎖線８１の位置まで押し込むようにする。その後、挿入力を開放すると、メモリーカード８がカードイジェクト機構３によって抜去方向に戻されて、後端縁が鎖線８３の位置に来るまで排出される。
【００３７】
【発明の効果】
以上に説明の通り、この発明のカード用コネクタによれば、メタルシェルの側板内に設けた基板実装片にばね性を与えて、絶縁ハウジングの伸縮に伴うメタルシェルの変形に追従できるようにしたので、基板実装片と取付基板の半田付け部分に応力集中や残留応力の蓄積がなくなり、電気的および機械的信頼性を向上したカード用コネクタを提供することができる。
【図面の簡単な説明】
【図１】この発明の第１の実施形態のカード用コネクタの斜視図である。
【図２】同じく第１の実施形態のカード用コネクタを構成した絶縁ハウジングの一部斜視図である。
【図３】同じく第１の実施形態のカード用コネクタの平面図である。
【図４】同じく第１の実施形態のカード用コネクタの左側面図である。
【図５】同じく第１の実施形態のカード用コネクタの、基板実装片の部分を拡大して示した部分図である。
【図６】図５のＡ−Ａ線に沿って示した断面図である。
【図７】この発明の第２の実施形態のカード用コネクタの、基板実装片の部分を拡大して示した部分図である。
【図８】この発明の第３の実施形態のカード用コネクタの、基板実装片の部分を拡大して示した部分図である。
【図９】この発明の第４の実施形態のカード用コネクタの、基板実装片の部分を拡大して示した部分図である。
【図１０】この発明の第５の実施形態のカード用コネクタの、基板実装片の部分を拡大して示した部分図である。
【図１１】この発明の第６の実施形態のカード用コネクタの、基板実装片の部分を拡大して示した部分図である。
【図１２】従来のカード用コネクタのメタルシェルに設けられた基板実装片の部分を拡大して示した部分図である。
【図１３】図１２のＢ−Ｂ線に沿って示した断面図である。
【符号の説明】
１          カード用コネクタ
１０        プリント基板
１０１      パッド
１０２      パッド
１０３      半田フィレット
１１        カード受入空洞
１２        カード挿入口
２          絶縁ハウジング
２１        本体部
２２        側壁部
２２１      装着溝
３          カードイジェクト機構
３１        カムスライダー
３１１      係合突部
３１２      ハートカム溝
３２        カムピン
３３        コイルスプリング
４          メタルシェル
４１        頂板
４２        第１側板
４３        第２側板
４４        係止片
４５        係止片
４６        基板実装片
４６１      垂下片部分
４６２      外向き翼部分
４６３      半田溜り
４７        縦方向スリット
４８        縦方向スリット
４９        横方向スリット
５０        連結片部分
５１        連結片部分
５２        縦方向スリット
５３        横方向スリット
５４        逆Ｌ字形スリット
５５        縦方向スリット
５６        逆Ｌ字形スリット
５７        逆Ｌ字形スリット
６          端子
６１        コンタクト片
６２        半田テイル
７          補強金具
８          メモリーカード
【図１】
2004273338.tif 000003
【図２】
2004273338.tif 000004
【図３】
2004273338.tif 000005
【図４】
2004273338.tif 000006
【図５】
2004273338.tif 000007
【図６】
2004273338.tif 000008
【図７】
2004273338.tif 000009
【図８】
2004273338.tif 000010
【図９】
2004273338.tif 000011
【図１０】
2004273338.tif 000012
【図１１】
2004273338.tif 000013
【図１２】
2004273338.tif 000014
【図１３】
2004273338.tif 000015